(57)【要約】【課題】  携帯電話機の一部または全部を交換自在に覆って装飾性を持たせ、あるいは携帯電話機に非一体的に取り付けた付属物、若しくは携帯電話機の置き台としての機能と共に、着信に応じて発光する機能を併せ持たせた着信表示部材を提供する。【解決手段】  携帯電話機の外装カバー、ストラップ、あるいはシートなどの装飾部品（マスコット）等の着信表示部材に有機ＥＬ表示素子（ＯＬＥＤ）を搭載する。このＯＬＥＤは、携帯電話機からの空中線出力をアンテナＡＮＴで取り込み、これをショットキーダイオードＳＤ１，ＳＤ２とコンデンサＣ２により整流してＯＬＥＤに与えて発光させる。【選択図】  図４
2005236762.tif 000002
【特許請求の範囲】
【請求項１】
携帯電話機の表面の少なくとも一部を覆って一体的に取り付けて当該携帯電話機の外観を装飾すると共に、発光により着信を通知する着信表示部材であって、
有機エレクトロルミネッセンス素子からなる発光部と、
前記発光部を挟む一対の電極と、
前記一対の電極の夫々を通して前記発光部にキャリアを注入する電流供給装置と
を備えたことを特徴とする着信表示部材。
【請求項２】
前記電流供給回路は、電波を検出する検出部と、前記検出部で検出された電波で前記キャリアを発生する電流源部と、前記キャリアを前記一対の電極の一方に選択的に供給させる整流部とを有することを特徴とする請求項１に記載の着信表示部材。
【請求項３】
前記整流部は、前記検出部で検出された電波を整流した電流を蓄積するコンデンサを有することを特徴とする請求項２に記載の着信表示部材。
【請求項４】
前記電流供給回路は、前記検出部で検出された電波を整流する整流部と、整流部で整流した電流を電荷として蓄積するコンデンサと、該コンデンサの端子電圧で導通が制御されるトランジスタと、該トランジスタの導通で前記発光部にキャリアを注入する電源とを有することを特徴とする請求項１に記載の着信表示部材。
【請求項５】
前記発光部を複数個有することを特徴とする請求項１に記載の着信表示部材。
【請求項６】
前記複数個の発光部は発呼者の識別コードであることを特徴とする請求項５に記載の着信表示部材。
【請求項７】
携帯電話機に非一体的に取り付けて発光により着信を通知する着信表示部材であって、
有機エレクトロルミネッセンス素子からなる発光部と、
前記発光部を挟む一対の電極と、
前記一対の電極の夫々を通して前記発光部にキャリアを注入する電流供給装置と
を備えたことを特徴とする着信表示部材。
【請求項８】
前記電流供給回路は、電波を検出する検出部と、前記検出部で検出された電波で前記キャリアを発生する電流源部と、前記キャリアを前記一対の電極の一方に選択的に供給させる整流部とを有することを特徴とする請求項７に記載の着信表示部材。
【請求項９】
前記整流部には、前記検出部で検出された電波を整流した電流を蓄積するコンデンサを有することを特徴とする請求項８に記載の着信表示部材。
【請求項１０】
前記電流供給回路は、前記検出部で検出された電波を整流する整流部と、整流部で整流した電流を電荷として蓄積するコンデンサと、該コンデンサの端子電圧で導通が制御されるトランジスタと、該トランジスタの導通で前記発光部にキャリアを注入する電源とを有することを特徴とする請求項８に記載の着信表示部材。
【請求項１１】
前記発光部を複数個有することを特徴とする請求項７に記載の着信表示部材。
【請求項１２】
前記複数個の発光部は発呼者の識別コードであることを特徴とする請求項１１に記載の着信表示部材。
【請求項１３】
携帯電話機を載置して発光により着信を通知するシート状の着信表示部材であって、
有機エレクトロルミネッセンス素子からなる発光部と、
前記発光部を挟む一対の電極と、
前記一対の電極の夫々を通して前記発光部にキャリアを注入する電流供給装置と
を備えたことを特徴とする着信表示部材。
【請求項１４】
前記電流供給回路は、電波を検出する検出部と、前記検出部で検出された電波で前記キャリアを発生する電流源部と、前記キャリアを前記一対の電極の一方に選択的に供給させる整流部とを有することを特徴とする請求項１３に記載の着信表示部材。
【請求項１５】
前記整流部には、前記検出部で検出された電波を整流した電流を蓄積するコンデンサを有することを特徴とする請求項１４に記載の着信表示部材。
【請求項１６】
前記電流供給回路は、前記検出部で検出された電波を整流する整流部と、整流部で整流した電流を電荷として蓄積するコンデンサと、該コンデンサの端子電圧で導通が制御されるトランジスタと、該トランジスタの導通で前記発光部にキャリアを注入する電源とを有することを特徴とする請求項１５に記載の着信表示部材。
【請求項１７】
前記発光部を複数個有することを特徴とする請求項１３に記載の外装表示パネル。
【請求項１８】
前記複数個の発光部は発呼者の識別コードであることを特徴とする請求項１５に記載の着信表示部材。
【発明の詳細な説明】
【技術分野】
【０００１】
本発明は、携帯電話機の着信表示に係り、特に携帯電話機とは本来的に別体の表示部材を用いて、携帯電話機の一部または全部を交換自在に覆って装飾性を持たせ、あるいは携帯電話機に非一体的に取り付けた付属物、若しくは携帯電話機の置き台としての機能と共に、着信に応じて発光する機能を併せ持たせた着信表示部材に関する。
【０００２】
本発明の着信表示部材は、薄型化が容易で、自発光を特徴とする有機エレクトロルミネッセンス（有機ＥＬ：ＯＬＥＤ）を利用した点に特徴を有する。
【背景技術】
【０００３】
携帯電話機は、幅広く普及しており、現在は小学生に至るまで所有するようになっている。ユーザ層が多岐にわたるに従い、多機能化等の性能面は進化し、装飾性向上等の差別化も進んできた。
【０００４】
携帯電話機の装飾性向上の観点から、携帯電話機の一部または全部を覆って一体化する交換可能なパーツあるいは部材（この種のものを、通常は外装パネルと称する）も製品化されている。また、携帯電話機のアフターマーケットにおける装飾部品として、光るアンテナ、光るストラップ、光るマスコット等のパーツが市販されていることも一般に知られている。このような発光するパーツあるいは部材の存在理由は、携帯電話機から出力される電波を検波することによって得られた電力を使用することにより、送信／着信時の通知機能を通常は電源不要で提供できることにある。
【０００５】
図１は、携帯電話機の外装パネルの説明図である。図１において、参照符号ＣＶは外装パネル、ＭＰは携帯電話機、ＰＢは携帯電話機ＭＰの基体部、ＰＤは携帯電話機ＭＰの表示部、ＡＮはアンテナ、ＳＷは副表示窓である。この携帯電話機ＭＰは蝶番ＨＧで二つ折りに畳みまた開き可能とされており、図示の状態は折り畳んだ状態を示す。この状態では、主表示窓は見えない。外装パネルＣＶは表示部ＰＤの外側を覆って着装され、欠如部ＣＦに副表示窓ＳＷが露呈している。この外装パネルＣＶはユーザの好みにより、交換可能である。
【０００６】
一般に、外装パネルＣＶには塗装や意匠が施されており、携帯電話機ＭＰ本体とは異なる概観（主として色調）となることが特徴となっている。現状では上記外装パネルＣＶは発光機能を有しない。その理由は、電力供給、適当な面発光素子がないためと推測される。
【０００７】
この種の従来技術を開示したものとして特許文献１〜特許文献７を挙げることができる。特許文献１〜特許文献３は、ガラスあるいは合成樹脂等の板状の光放射部材の一辺に、アンテナから導かれた電磁波のエネルギーで発光する発光素子を設けた携帯電話機機を開示する。また、特許文献４〜特許文献６はＥＬファイバやＥＬシートで構成したストラップ型の発光装置を開示する。この発光装置も携帯電話機の高周波を検知して発光する。そして、特許文献７は非接触で信号と電力を授受する半導体装置を内装したシート状のタグを開示する。
【特許文献１】特開２００２−３１４６５５号公報
【特許文献２】特開２００２−１２５０１６号公報
【特許文献３】特開２００２−１２５０２２号公報
【特許文献４】特開２００２−９５５１７号公報
【特許文献５】特開２００２−２７０６１号公報
【特許文献６】特開２００１−３７５２５号公報
【特許文献７】特開２０００−２０６６５号公報
【発明の開示】
【発明が解決しようとする課題】
【０００８】
背景技術において説明した従来技術の携帯電話機用外装パネル、ストラップあるいはシート当のアクセサリやその他の市販されている、所謂マスコットは、特定の機種のみに適用されるものである。機種限定の部材であるため、コストも高い。このような携帯電話機用のアクセサリは、単に“塗装色違い”の装飾性しか持たず、また光るアンテナ等は、発光部に発光ダイオード（ＬＥＤ）を用いる為“点発光”に限定される。さらに、面発光が可能な従来のＥＬシートを備えた方式の着信通知用途の発光マスコットの場合には高周波発生回路が必要である為、回路が複雑化し、コスト高である。
【０００９】
本発明の目的は、携帯電話機の一部または全部を交換自在に覆って装飾性を持たせ、あるいは携帯電話機に非一体的に取り付けた付属物、若しくは携帯電話機の置き台としての機能と共に、着信に応じて発光する機能を併せ持たせた着信表示部材を提供することにある。
【課題を解決するための手段】
【００１０】
本発明は、携帯電話機の外装カバー、ストラップ、あるいはシートなどの装飾部品（マスコット）等の部材（本発明では着信表示部材と称する）に有機ＥＬ表示素子（ＯＬＥＤ）を搭載する。また、このＯＬＥＤには、携帯電話機からの空中線出力（アンテナ出力）を検波（整流）することによって得られた電力を供給し発光する構成を基本とする。
【００１１】
本発明による着信表示部材は、携帯電話機の表面の少なくとも一部を覆って一体的に取り付けて当該携帯電話機の外観を装飾すると共に、発光により着信を通知する着信表示部材であり、有機エレクトロルミネッセンス素子からなる発光部と、発光部を挟む一対の電極と、この一対の電極の夫々を通して発光部にキャリアを注入する電流供給装置とを備える。
【００１２】
また、本発明による着信表示部材は、携帯電話機に非一体的に取り付けて発光により着信を通知する着信表示部材であり、有機エレクトロルミネッセンス素子からなる発光部と、発光部を挟む一対の電極と、この一対の電極の夫々を通して発光部にキャリアを注入する電流供給装置とを備える。
【００１３】
また、本発明による着信表示部材は、携帯電話機を載置して発光により着信を通知するシート状の着信表示部材であり、有機エレクトロルミネッセンス素子からなる発光部と、発光部を挟む一対の電極と、この一対の電極の夫々を通して発光部にキャリアを注入する電流供給装置とを備える。
【発明の効果】
【００１４】
携帯電話機の表面の少なくとも一部を覆って一体的に取り付ける本発明による着信表示部材は、携帯電話機の装飾性を向上させ、さらなる差別化を図ることができる。また、表示部を面発光とすることで装飾性と機能性（切り抜き文字表示等）を向上させることができる。発呼者の識別コードなどを切り抜き文字で表示すること等、多種の情報を表示させることが可能である。
【００１５】
携帯電話機に非一体的に取り付ける本発明による着信表示部材は、所謂タグと称するものと同様の取り付け形態であり、形態電話機の本体とは別体でその装飾性を向上させることができる。また、携帯電話機の表面の少なくとも一部を覆って一体的に取り付ける着信表示部材と同様に、表示部を面発光とすることで上記と同様の効果を奏することができ、さらに切り抜き文字表示等の表示が可能であり、発呼者の識別コードを表示させることもできる。
【００１６】
携帯電話機を載置して発光により着信を通知するシート状の着信表示部材は、携帯電話機とは独立して配置しておき、必要に応じて、その上に携帯電話機を載置する。着信があった場合は、シート状の着信表示部材が発光して着信を通知する。また、表示部を面発光とすることが容易で、さらに切り抜き文字表示等の表示が可能であり、発呼者の識別コードを表示させることも可能である。
【発明を実施するための最良の形態】
【００１７】
本発明では、面発光を特徴とするＯＬＥＤを用いて前記図１で説明した携帯電話機の交換可能な外装パネルＣＶの全体、または任意の部分を面発光させる。これにより、従来にはない携帯電話の本体が発光するような視覚効果を得ることが可能となる。また、本発明は、意匠の観点からの応用としての携帯電話機用のアクセサリーの分野においても、従来の色彩変更カバーや点発光マスコットと比較して視覚的に大きなインパクトを与える。
【００１８】
なお、市販されている光るアンテナ、光るマスコット、光るストラップ等は、携帯電話機から発射される空中線を検波することにより発生する起電力を用いて動作するものが一般的である。従って、これらの多くのものは電源不要である。
【００１９】
図２は、光るアンテナの原理を説明する回路図である。図２において、参照符号ＡＮＴは、携帯電話機から発する電波を受ける為のアンテナであり、具体的にはコイルで構成される。このアンテナＡＮＴで受けた電波（高周波）をショットキーダイオードＳＤによって検波し、この検波電流で発光ダイオードＬＥＤを点灯させ、光Ｌを放射する。この原理により、携帯電話機から発する電波を検波（整流）することで発生する起電力により、直接発光ダイオードＬＥＤを発光させるため、電源が不要となる。ここで、携帯電話機は双方向通話であることから、その送信時のみならず、着信時においても同様に通話者の会話を送信するための電波を送信することになる。結果として、図２に示した光るアンテナは、着信・送信の区別なく発光することになる。
【００２０】
図３は、有機ＥＬの構造例を説明する模式断面図である。この有機ＥＬ（ＯＬＥＤ）は透明基板ＳＵＢ上にＩＴＯ等の透明導電材からなる一方の電極（ここでは、陽極）ＡＤ、ホール輸送層ＨＴ、発光層ＬＬ、電子輸送層ＥＴ、他方の電極（ここでは、陰極）ＣＤがこの順で積層され、最上層を封止缶ＳＳで覆って構成される。透明基板ＳＵＢは、ガラス板が一般的であるが、樹脂シートであってもよい。また、封止缶ＳＳも同様にガラス板が一般的であるが、樹脂シート、あるいは陰極ＣＤとの間に絶縁層を介在させれば金属板を用いることもできる。
【００２１】
このような構成において、陽極ＡＤと陰極ＥＤの間に電圧Ｅを印加すると、電子は電子輸送層ＥＴから発光層ＬＬに、ホールはホール輸送層ＨＴから発光層ＬＬに注入される。発光層に注入された電子とホールとが再結合したときに発光する。この発光Ｌは陽極ＡＤを通過し、透明基板ＳＵＢを表示面として出射する。
【実施例１】
【００２２】
図４は、本発明の携帯電話機用の着信表示部材の実施例１を構成する回路図である。この実施例では着信表示部材は外装パネルである。図４において、参照記号Ｃ１、Ｃ２はコンデンサであり、その容量は１００ｐｆである。また、ＳＤ１、ＳＤ２は、ショットキーダイオード、ＯＬＥＤは有機ＥＬ素子、ＡＮＴはアンテナ（実際には、コイル状が一般的）である。また、コンデンサＣ１は安定用であり省略も可能である。この回路を図１に示した外装パネルＣＶに組み込む。
【００２３】
本実施例では、図１に示した外装パネルＣＶの一部に図３で説明したＯＬＥＤが組み込まれている。ＯＬＥＤは外装パネルＣＶの１または複数の平坦領域にそれぞれ１または複数個のＯＬＥＤを組み込む。しかし、樹脂シートのような可撓性の基板や封止缶を用いたものでは、外装パネルＣＶの曲面も含めた適宜の領域に１または複数個のＯＬＥＤを組み込むことができる。そして、このＯＬＥＤは面状の発光部材であることから、表示面に切り抜き文字・数字などを設けることで、発呼者の名前あるいは電話番号、もしくは名前と電話番号などの組み合わせからなる発呼者識別コードで着呼者に通知することができる。また、適宜の記号やアニメキャラクタなどで表示することもできる。
【００２４】
本実施例により、携帯電話機の装飾性の向上と共に、発呼者の識別コードなどを切り抜き文字で表示すること等、多種の情報を表示させることで、携帯電話機の機能を向上することができる。
【実施例２】
【００２５】
図５は、本発明の携帯電話機用の着信表示部材の実施例２を構成する回路図である。この実施例でも着信表示部材は外装パネルである。図４において、参照符号Ｃはコンデンサ（１００ｐｆ）、ＳＤ１、ＳＤ２はショットキーダイオード、ＯＬＥＤは有機ＥＬ、ＡＮＴはアンテナである。本実施例の回路は、図４に示した実施例１の回路を簡略化したものであり、これを図１に示した外装パネルに組み込む。他の構成は、実施例１と同様なので、説明は省略する。
【００２６】
本実施例によっても、携帯電話機の装飾性の向上と共に、発呼者の識別コードなどを切り抜き文字で表示すること等、多種の情報を表示させることで、携帯電話機の機能を向上することができる。
【００２７】
図４、図５で説明した回路は無電源回路である。そのため有機ＥＬ素子（ＯＬＥＤ）本来の高輝度発光を行うことができない。そこで、後述する実施例３のように、小型バッテリなどの電源を搭載することにより、更に高感度化して着信表示部材と携帯電話機との距離を遠ざけることが可能となる。また、高輝度、あるいは大面積の発光も可能となる。但し、この場合においても従来のＥＬシートの発光に必要な高周波発生回路は不要なため、シンプルかつ低コスト、低消費電力という利点がある。
【実施例３】
【００２８】
図６は、本発明の携帯電話機用の着信表示部材の実施例３を構成する回路図である。この実施例は、着信表示部材としては携帯電話機とは非固定的に取り付けるタグ状部材、または携帯電話機とは独立したシート状部材とするのが好適である。図６において、参照符号Ｃはコンデンサ（１００ｐｆ）、ＳＤ１、ＳＤ２はショットキーダイオード、ＯＬＥＤは有機ＥＬ、ＡＮＴはアンテナ、ＴＲはトランジスタ、Ｒは負荷抵抗、ＢＴは電源（バッテリー電源）である。
【００２９】
図６において、アンテナＡＮＴからの高周波電流はショットキーダイオードＳＤ１、ＳＤ２で整流されてコンデンサＣに電荷として蓄積される。ショットキーダイオードＳＤ１、ＳＤ２およびコンデンサＣで整流回路を構成する。トランジスタＴＲの負荷側には抵抗Ｒを介してバッテリー電源ＢＴが接続されている。そして、トランジスタＴＲのエミッタに有機ＥＬ（ＯＬＥＤ）が直列に挿入されている。
【００３０】
整流されてコンデンサＣに蓄積された電荷により、トランジスタＴＲのベース電位が所定の値に達すると、当該トランジスタＴＲは導通する。トランジスタＴＲの導通によりバッテリー電源ＢＴは有機ＥＬ（ＯＬＥＤ）にキャリア（電子／ホール）を注入する。これにより、有機ＥＬ（ＯＬＥＤ）は発光し、光Ｌが放射される。
【００３１】
本実施例では、バッテリー電源ＢＴで有機ＥＬ（ＯＬＥＤ）を駆動するため、感度が増大し、発光輝度も大きくなることから、着信表示部材を携帯電話機本体から離しても十分に動作する。また大面積の発光も可能である。
【００３２】
図７は、携帯電話機に非固定的に取り付けるタグ状部材とした着信表示部材の説明図である。この携帯電話機ＭＰは図１のような折り畳み式ではなく、主表示窓ＭＷと操作部ＫＢが外面に露出している形式である。しかし、携帯電話機の形状が図１の場合にも同様に適用できることは言うまでもない。タグ状部材ＴＧは携帯電話機ＭＰのストラップ取り付け部に紐ＳＴで取り付けられる。このタグ状部材ＴＧには、有機ＥＬを用いた表示部ＮＤと図６に示したような回路ＤＲが組み込まれている。この例では、タグ状部材ＴＧの表示部ＮＤに発呼者の識別コードとして電話番号が表示されている場合を示す。表示部ＮＤに表示させる発呼者の識別コードは、電話番号に限るものではなく、名前や絵文字、キャラクタ、その他の適宜のパターンとすることができることは、前記した外装パネルの場合と同様である。
【００３３】
図８は、携帯電話機とは独立の配置されるシート状部材とした着信表示部材の説明図である。シート状部材ＰＤは、例えば付くの上に置かれるパッド様の形態でよく、その中に有機ＥＬの表示部ＮＤと図６に示した回路ＤＲが組み込まれている。なお、表示部ＮＤはシート状部材ＰＤの一部に限らず、当該シート状部材ＰＤの略ゝ全領域が発光するように配置することもできる。この発光が単なる発光でも、あるいは、前記したような発呼者の識別コードなどを含むものとしてもよい。
【図面の簡単な説明】
【００３４】
【図１】携帯電話機の外装パネルの説明図である。
【図２】光るアンテナの原理を説明する回路図である。
【図３】有機ＥＬの構造例を説明する模式断面図である。
【図４】本発明の携帯電話機用の着信表示部材の実施例１を構成する回路図である。
【図５】本発明の携帯電話機用の着信表示部材の実施例２を構成する回路図である。
【図６】本発明の携帯電話機用の着信表示部材の実施例３を構成する回路図である。
【図７】携帯電話機に非固定的に取り付けるタグ状部材とした着信表示部材の説明図である。
【図８】携帯電話機とは独立の配置されるシート状部材とした着信表示部材の説明図である。
【符号の説明】
【００３５】
ＣＶ・・・外装パネル、ＭＰ・・・携帯電話機、ＰＢ・・・携帯電話機ＭＰの基体部、ＰＤ・・・携帯電話機ＭＰの表示部、ＡＮ・・・携帯電話機のアンテナ、ＳＷ・・・副表示窓、ＨＧ・・・蝶番、ＡＮＴ・・・着信表示部材の回路を構成するアンテナ、ＳＤ（ＳＤ１、ＳＤ２）・・・ショットキーダイオード、ＬＥＤ・・・発光ダイオード、Ｌ・・・光、Ｃ１，Ｃ２・・・コンデンサ、ＯＬＥＤ・・・有機ＥＬ素子、ＴＲ・・・トランジスタ、Ｒ・・・負荷抵抗、ＢＴ・・・電源（バッテリー電源）。
【図１】
2005236762.tif 000003
【図２】
2005236762.tif 000004
【図３】
2005236762.tif 000005
【図４】
2005236762.tif 000006
【図５】
2005236762.tif 000007
【図６】
2005236762.tif 000008
【図７】
2005236762.tif 000009
【図８】
2005236762.tif 000010